(57)【要約】【課題】様々な付加情報を有する映像信号に対して、ユーザの負担を軽減しつつ適切な処理を行えるようにする。【解決手段】映像処理装置は、映像信号と該映像信号を識別するための識別情報を含む付加情報とを受信する受信手段１，２と、映像信号の属性を、識別情報によって特定できる場合はその特定できる属性に設定し、識別情報によっては特定できない場合は所定の属性に設定する設定手段５と、映像信号に対して、設定手段により設定された属性に応じた処理を行う処理手段３とを有する。【選択図】図１
2020187162.tif 000002
【特許請求の範囲】
【請求項１】
映像信号と該映像信号を識別するための識別情報を含む付加情報とを受信する受信手段と、
前記映像信号の属性を、前記識別情報によって特定できる場合はその特定できる属性に設定し、前記識別情報によっては特定できない場合は所定の属性に設定する設定手段と、
前記映像信号に対して、前記設定手段により設定された前記属性に応じた処理を行う処理手段とを有することを特徴とする映像処理装置。
【請求項２】
前記所定の属性は、ユーザにより選択された属性であることを特徴とする請求項１に記載の映像処理装置。
【請求項３】
前記映像信号の属性は、リミテッドレンジとフルレンジを含むＲＧＢ量子化レンジであることを特徴とする請求項１または２に記載の映像処理装置。
【請求項４】
前記付加情報は、AVI InfoFrameであり、
前記識別情報は、Default、LimitedおよびFullを有するRGB Quantization Rangeであることを特徴とする請求項３に記載の映像処理装置。
【請求項５】
前記ＲＧＢ量子化レンジに対して、リミテッドレンジ優先設定値とフルレンジ優先設定値とが選択可能であり、
前記設定手段は、前記RGB Quantization Rangeが前記Defaultである場合において、前記リミテッドレンジ優先設定値が選択されたときは前記ＲＧＢ量子化レンジを前記リミテッドレンジに設定し、前記フルレンジ優先設定値が選択されたときは前記ＲＧＢ量子化レンジをフルレンジに設定することを特徴とする請求項４に記載の映像処理装置。
【請求項６】
前記ＲＧＢ量子化レンジに対して、グラフィックス−リミテッドレンジ優先設定値が選択可能であり、
前記識別情報は、IT contentとIT Content Typeを含み、
前記設定手段は、前記グラフィックス−リミテッドレンジ優先設定値が選択され、前記RGB Quantization Rangeが前記Defaultである場合に、前記IT contentと前記IT Content Typeに応じておよび前記映像信号のビデオフォーマットがＣＥフォーマットか否かに応じて、前記ＲＧＢ量子化レンジを前記リミテッドレンジまたは前記フルレンジに設定することを特徴とする請求項４に記載の映像処理装置。
【請求項７】
前記映像属性は、SMPTE 170MとITU-R BT.709を含むカラリメトリであり、
前記付加情報は、AVI InfoFrameであり、
前記識別情報は、No Data、SMPTE 170MおよびITU-R BT.709を含むColorimetryであることを特徴とする請求項１または２に記載の映像処理装置。
【請求項８】
前記カラリメトリに対してSMPTE 170M優先設定およびITU-R BT.709優先設定とが選択可能であり、
前記設定手段は、前記ColorimetryがNo Dataである場合において、前記SMPTE 170M優先設定が選択されたときは前記カラリメトリをSMPTE 170Mに設定し、前記ITU-R BT.709優先設定が選択されたときは前記カラリメトリをITU-R BT.709に設定することを特徴とする請求項７に記載の映像処理装置。
【請求項９】
請求項１から８のいずれか一項に記載の映像処理装置と、
該映像処理装置により処理された映像信号を表示する表示手段とを有することを特徴とする映像表示装置。
【請求項１０】
映像信号と該映像信号を識別するための識別情報を含む付加情報とを受信するステップと、
前記映像信号の属性を、前記識別情報によって特定できる場合はその特定できる属性に設定し、前記識別情報によっては特定できない場合は所定の属性に設定するステップと、
前記映像信号に対して、前記設定された属性に応じた処理を行うステップとを有することを特徴とする映像処理方法。
【請求項１１】
コンピュータに、映像信号に対して請求項１０に記載の映像処理方法に従う処理を実行させることを特徴とするコンピュータプログラム。
【発明の詳細な説明】
【技術分野】
【０００１】
本発明は、プロジェクタや直視型ディスプレイ等の映像表示装置に好適な映像処理装置に関する。
【背景技術】
【０００２】
映像信号と、該映像信号に付加される情報であって映像信号の信号処理条件に関する付加情報、例えば、階調の量子化レンジやカラリメトリ（色空間）を示す映像信号の属性に関する情報を受信し、該付加情報に基づいて映像信号に対する信号処理を行う映像処理または映像表示装置が従来用いられている。例えば、ＨＤＭＩ（登録商標）では、ＣＴＡ（全米民生技術協会）によって定められた規格であるＣＴＡ−８６１により定義されたInfoFrameパケットによって映像出力装置から映像処理または表示装置に付加情報を送信することができる。
【０００３】
ただし、映像出力装置からの出力映像信号の量子化レンジがフルレンジ方式であるにもかかわらず、付加情報における量子化レンジがリミテッドレンジ方式であると、映像処理装置では映像信号に対してリミテッドレンジ方式の量子化レンジで信号処理を行う。この場合、黒潰れや白飛び等、階調に異常が発生する。
【０００４】
特許文献１には、映像出力装置から映像信号の信号処理条件を示す特定の付加情報（例えば量子化レンジ）が入力された際に、該映像信号に対して特定の信号処理を行う方法が開示されている。この方法によれば、特定の機種の映像出力装置における量子化レンジを示す付加情報が実際の映像信号の量子化レンジと異なると分かるので、信号処理条件として正しい情報を使用することができ、上述した課題の発生を回避することができる。
【先行技術文献】
【特許文献】
【０００５】
【特許文献１】特開２０１２−１５１５９４号公報
【発明の概要】
【発明が解決しようとする課題】
【０００６】
しかしながら、信号処理条件を得るための正しい情報の取集が簡単ではなく、また多数の機種の映像出力装置において映像信号に対する付加情報に誤りがあった場合にどのように信号処理条件を設定するかについては特許文献１に開示されていない。また、信号処理条件を付加情報に依存せずにユーザの選択により決定させるようにするのでは、ユーザの負担が大きい。
【０００７】
本発明は、様々な付加情報を有する映像信号に対して、ユーザの負担を軽減しつつ適切な処理を行えるようにした映像信号処理装置およびこれを備えた映像表示装置を提供する。
【課題を解決するための手段】
【０００８】
本発明の一側面としての映像処理装置は、映像信号と該映像信号を識別するための識別情報を含む付加情報とを受信する受信手段と、映像信号の属性を、識別情報によって特定できる場合はその特定できる属性に設定し、識別情報によっては特定できない場合は所定の属性に設定する設定手段と、映像信号に対して、設定手段により設定された属性に応じた処理を行う処理手段とを有することを特徴とする。
【０００９】
また本発明の他の一側面としての映像表示装置は、上記映像処理装置と、該映像処理装置により処理された映像信号を表示する表示手段とを有することを特徴とする。
【００１０】
さらに本発明の他の一側面としての映像処理方法は、映像信号と該映像信号を識別するための識別情報を含む付加情報とを受信するステップと、映像信号の属性を、識別情報によって特定できる場合はその特定できる属性に設定し、識別情報によっては特定できない場合は所定の属性に設定するステップと、映像信号に対して、上記設定された属性に応じた処理を行うステップとを有することを特徴とする。
【００１１】
なお、コンピュータに、映像信号に対して上記映像処理方法に従う処理を実行させるコンピュータプログラムも、本発明の他の一側面を構成する。
【発明の効果】
【００１２】
本発明によれば、様々な付加情報を有する映像信号に対して、ユーザの負担を軽減しつつ適切な処理を行うことができる。
【図面の簡単な説明】
【００１３】
【図１】本発明の実施例１である映像表示装置の構成を示すブロック図。
【図２】実施例１における映像属性判定部の処理を示すフローチャート。
【図３】AVI InfoFrameにおけるRGB Quantization Rangeの定義を示す図。
【図４】本発明の実施例２におけるＲＧＢ量子化レンジの定義を示す図。
【図５】実施例２における入力映像信号のＲＧＢ量子化レンジとレンジ拡張処理の有無との組合せにおける表示映像例を示す図。
【図６】実施例２におけるＲＧＢ量子化レンジ設定メニューの例を示す図。
【図７Ａ】実施例２におけるＲＧＢ量子化レンジの設定処理を示すフローチャート。
【図７Ｂ】実施例２におけるRGB Quantization Rangeとユーザ設定値とに応じたＲＧＢ量子化レンジを示す図。
【図８】AVI InfoFrameにおけるIT content及びIT Content Typeの定義を示す図。
【図９】実施例３におけるＲＧＢ量子化レンジ設定メニューの例を示す図。
【図１０】実施例３における映像属性判定部の処理を示すフローチャート。
【図１１】AVI InfoFrameにおけるColorimetryおよびExtended Colorimetryの定義を示す図。
【発明を実施するための形態】
【００１４】
以下、本発明の実施例について図面を参照しながら説明する。
【実施例１】
【００１５】
図１は、本発明の実施例１である映像表示装置の構成を示している。映像表示装置には、プロジェクタ（画像投射装置）や直視型ディスプレイが含まれる。本実施例の映像表示装置は、映像受信部１、付加情報検出部２、映像信号処理部３、表示部４、映像属性判定部５、操作部６、ＯＳＤ重畳部８およびメモリ７を有する。映像受信部１、付加情報検出部２、映像信号処理部３および映像属性判定部５により映像処理装置が構成される。映像処理装置はＣＰＵ等のコンピュータにより構成される。
【００１６】
映像受信部１は、Ultra HD Blu-Rayプレーヤやコンピュータ等の映像出力装置から映像信号とその付加情報（これについては後述する）を受信するための端子、例えばＨＤＭＩ（登録商標）端子を有する。ただし、ＨＤＭＩ端子は例に過ぎず、DisplayPort（商標登録）等の他の端子であっても、付加情報の受信が行えればよい。
【００１７】
付加情報検出部２は、映像受信部１で受信された映像信号と付加情報を読み取る。付加情報は、HDMI（登録商標）ではAVI InfoFrameが、DisplayPortではMSA (Main Stream Attribute)やSDP (Secondary-Data Packet)が該当する。付加情報検出部２は、読み取った付加情報のうち映像信号の属性（以下、映像属性という）に関わる部分を該映像信号の識別情報として抽出し、該識別情報を映像属性判定部５に出力する。映像属性は、階調の量子化レンジやカラリメトリ（色空間）等、映像信号の特徴や性質を表す情報（パラメータ）である。映像受信部１と付加情報検出部２とにより受信手段が構成される。
【００１８】
映像信号処理部（処理手段）３は、入力された映像信号の識別情報（映像属性）を映像表示装置の内部において基準とする映像属性へと変換する。例えば、映像属性が階調の量子化レンジである場合は、映像信号処理部３はオフセット回路とゲイン回路を有する。映像表示装置が受け入れ可能な映像属性を有する映像信号の数だけ、変換の設定数が必要となる。いずれの設定を使用するかは映像属性判定部５が判定する。また、映像属性が階調の量子化レンジ以外のものである場合は、映像信号処理部３は、カラーマトリックスや３次元ルックアップテーブル（３ＤＬＵＴ））等を用いてもよい。
【００１９】
表示手段としての表示部４は、そこに入力された映像信号に対応する映像を表示画面に表示する。設定手段としての映像属性判定部５は、付加情報検出部２で抽出された識別情報と、後述するメモリ７から読み出したユーザ設定値とから、映像表示装置に入力された映像信号の映像属性を判定し、その判定結果を映像信号処理部３に出力する。映像信号処理部３は、入力された映像信号の映像属性に応じて映像信号処理部３での変換方式を指定する。このときの処理については、後に詳しく説明する。
【００２０】
操作部６は、ボタンやダイヤル等のユーザインターフェースを有し、ユーザによる操作を受け付ける。操作部６は、映像属性判定部５にてユーザ設定値として使用される映像属性をメモリ７に出力する。また、ＯＳＤ重畳部８は、操作部６を操作するユーザが見ることが可能なＯＳＤ（On Screen Display)メニューを表示部４に表示させるように、映像信号処理部３からの映像信号にＯＳＤ画像信号を重畳する。
【００２１】
記憶手段としてのメモリ７は、ユーザにより操作部６を通じて選択された映像属性を格納し、これを映像属性判定部５に対してユーザ設定値として出力する。
【００２２】
図２のフローチャートを用いて、映像属性判定部５が行う映像属性判定処理について説明する。映像属性判定部５は、コンピュータプログラムに従って本処理を実行する。
【００２３】
ステップＳ２０１において、映像属性判定部５は、付加情報検出部２で抽出された単一の識別情報のみを用いて、今回入力された映像信号の映像属性（以下、今回映像属性という）を判定可能であるか否かを判定する。なお、単一の識別情報のみを用いて今回映像属性が判定可能なのは付加情報により直接、映像信号の属性が判定されている場合であり、判定できない場合は付加情報と他の情報との組み合わせで映像属性が判定される。映像属性判定部５は、判定可能であればステップＳ２０２に進み、そうでなければステップＳ２０３に進む。
【００２４】
ステップＳ２０２では、映像属性判定部５は、識別情報のみを用いて判定した映像属性を今回映像属性として設定する。そして本処理を終了する。
【００２５】
一方、ステップＳ２０３では、映像属性判定部５は、識別情報は用いずに、メモリ７に格納された映像属性を今回映像属性として設定する。そして本処理を終了する。
【００２６】
本実施例では、付加情報から得られた識別情報のみを用いて映像属性を判定可能である場合には該映像属性を今回映像属性に設定し、識別情報のみを用いて映像属性を判定不可能である場合にはメモリ７に格納されたユーザ設定値に応じた今回映像属性を設定する。これにより、確度が高い識別情報を出力する映像出力装置から映像信号が入力される場合は、該識別情報に対応する映像属性に応じた正しい信号処理を行うことができる。一方、確度が低い識別情報を出力する映像出力装置から映像信号が入力される場合には、ユーザが選択（設定）した映像属性に応じた映像信号処理を行うことができる。したがって、様々な付加情報を有する映像信号に対して、ユーザの負担を軽減しつつ適切な映像信号処理を行うことができる。
【実施例２】
【００２７】
本発明の実施例２について説明する。本実施例では、映像属性がＲＧＢ映像信号の階調の量子化レンジ（以下、ＲＧＢ量子化レンジという）である場合について説明する。映像表示装置の構成は、実施例１（図１）と同じである。本実施例において、付加情報検出部２が読み取る付加情報はAVI InfoFrameであり、抽出される識別情報はRGB Quantization Rangeである。
【００２８】
ＣＴＡ−８６１規格では、RGB Quantization Rangeが図３に示すように定義されている。RGB Quantization Rangeの値が０：Ｄｅｆａｕｌｔの場合は、ビデオフォーマットに依存してＲＧＢ量子化レンジを判定する必要がある。ビデオフォーマットがＩＴビデオフォーマットであればＲＧＢ量子化レンジはフルレンジとなり、ＣＥビデオフォーマットであればリミテッドレンジとなる。
【００２９】
ＣＥビデオフォーマットとは、有効垂直ライン数が４８０，７２０，１０８０，２１６０等、ビデオ装置を対象に規格化されたフォーマットを指し、それ以外がＩＴビデオフォーマットである。
【００３０】
RGB Quantization Rangeの値が１：Limitedの場合はＲＧＢ量子化レンジはリミテッドレンジとなり、２：Fullの場合はフルレンジとなる。したがって、１：Limitedおよび２：Fullは、直接、ＲＧＢ量子化レンジを指定していることになるが、０：Defaultは間接的にしかＲＧＢ量子化レンジを指定していないことになる。
【００３１】
映像信号処理部３は、図４に示すように、ＲＧＢ量子化レンジとして、黒レベルが１６で白レベルが２３５であるリミテッドレンジと、黒レベルが０で白レベルが２５５であるフルレンジの２つのＲＧＢ量子化レンジの映像信号を処理する。また、映像表示装置の内部で基準とするＲＧＢ量子化レンジはフルレンジであり、映像信号処理部３は、リミテッドレンジをフルレンジへと変換するレンジ拡張処理を行う。
【００３２】
図５（ａ）〜（ｄ）は、入力される映像信号のＲＧＢ量子化レンジと映像信号処理部３がレンジ拡張処理を行うか否かとの組み合わせでの表示部４における表示映像例を示している。入力される映像信号は、水平方向に１６に分割されたステアステップ画像である。
【００３３】
図５（ａ）は、入力映像のＲＧＢ量子化レンジがリミテッドレンジであり、レンジ拡張処理が行われる場合の表示映像を示している。正しくレンジ拡張処理が行われるために、適切な表示映像が得られている。図５（ｂ）は、入力映像のＲＧＢ量子化レンジがリミテッドレンジであり、レンジ拡張処理が行われない場合の表示映像を示している。レンジ拡張処理が行われない（つまりは誤った処理が行われる）ため、黒レベルが浮き、白レベルも沈んでしまっている。
【００３４】
図５（ｃ）は、入力映像のＲＧＢ量子化レンジがフルレンジであり、レンジ拡張処理が行われる場合の表示映像を示している。誤ってレンジ拡張処理が行われたために、黒レベル近辺が黒に沈み（黒つぶれし）、白レベル近辺は白に飛んで（白飛びして）しまっている。図５（ｄ）は、入力映像のＲＧＢ量子化レンジがフルレンジであり、レンジ拡張処理が行われない場合の表示映像を示している。誤ったレンジ拡張処理が行われない（つまり正しい処理が行われる）ために、適切な表示映像が得られている。
【００３５】
映像属性判定部５は、付加情報検出部２が抽出した識別情報RGB Quantization Rangeの値と、メモリ７から読み出したユーザ設定値とから、入力された映像信号の映像属性を判定する。メモリ７に格納されるユーザ設定値の種類と該ユーザ設定値に応じた映像属性の判定処理については後述する。
【００３６】
図６は、ＯＳＤメニューとしてのＲＧＢ量子化レンジ設定メニュー７０１の例を示している。ＲＧＢ量子化レンジ設定メニュー７０１は、選択アイコン７０２を有するとともに、映像属性のユーザ設定値として選択可能なオート設定値７１１、リミテッドレンジ優先設定値７１２、フルレンジ優先設定値７１３、リミテッドレンジ強制設定値７１４およびフルレンジ強制設定値７１５を有する。
【００３７】
ＲＧＢ量子化レンジ設定メニュー７０１は、ユーザがＲＧＢ量子化レンジの設定を変更したいタイミングで表示可能である。表示されたＲＧＢ量子化レンジ設定メニュー７０１では、操作部６に設けられた不図示の上下ボタンのユーザ操作に応じて選択アイコン７０２が上下に移動する。そして、同じく操作部６に設けられた不図示の設定ボタンのユーザ操作に応じて、そのときに選択アイコン７０２が位置している設定値がユーザ設定値として選択（設定）される。
【００３８】
図７Ａのフローチャートは、ユーザ設定値に応じたＲＧＢ量子化レンジの設定処理を示している。映像属性判定部５は、コンピュータプログラムに従って本処理を実行する。本処理は、実施例１で図２を用いて説明したステップＳ２０３で行われる処理に相当する。
【００３９】
ステップＳ２０４において、映像属性判定部５は、ユーザ設定値がオート設定値か否かを判定し、オート設定値である場合はステップＳ２０５に進み、そうでない場合はステップＳ２１０に進む。ユーザ設定値がオート設定値である場合の処理は、ＣＴＡ−８６１規格にて定義された処理である。
【００４０】
ステップＳ２０５では、映像属性判定部５は、付加情報検出部２で抽出されたRGB Quantization RangeがDefaultか否かを判定し、DefaultであればステップＳ２０６に進み、そうでなければステップＳ２０８に進む。
【００４１】
ステップＳ２０６では、映像属性判定部５は、入力された映像信号のビデオフォーマットがＣＥフォーマットか否かを判定し、ＣＥフォーマットであればステップＳ２０７に進み、そうでなければステップＳ２０９に進む。
【００４２】
ステップＳ２０７では、映像属性判定部５は、今回映像属性であるＲＧＢ量子化レンジをリミテッドレンジに設定する。そして本処理を終了する。またステップＳ２０９では、映像属性判定部５は、ＲＧＢ量子化レンジをフルレンジに設定する。そして本処理を終了する。
【００４３】
一方、ステップＳ２０８では、映像属性判定部５は、RGB Quantization RangeがLimitedか否かを判定し、LimitedであればステップＳ２０７に進んでＲＧＢ量子化レンジをリミテッドレンジに設定する。そして本処理を終了する。また、Limitedでなければ（Fullであれば）ステップＳ２０９に進んでＲＧＢ量子化レンジをフルレンジに設定する。そして本処理を終了する。
【００４４】
ステップＳ２１０では、映像属性判定部５は、ユーザ設定値がリミテッドレンジ優先設定値か否かを判定し、リミテッドレンジ優先設定値である場合はステップＳ２１１に進み、そうでない場合はステップＳ２２０に進む。
【００４５】
ステップＳ２１１では、映像属性判定部５は、付加情報検出部２で抽出されたRGB Quantization RangeがDefaultか否かを判定し、DefaultであればステップＳ２１２に進み、そうでなければステップＳ２１３に進む。
【００４６】
ステップＳ２１３では、映像属性判定部５は、RGB Quantization RangeがLimitedか否かを判定し、LimitedであればステップＳ２１２に進み、そうでなければステップＳ２１４に進む。
【００４７】
ステップＳ２１２では、映像属性判定部５は、ＲＧＢ量子化レンジをリミテッドレンジに設定する。そして本処理を終了する。またステップＳ２１４では、映像属性判定部５は、ＲＧＢ量子化レンジをフルレンジに設定する。そして本処理を終了する。
【００４８】
ステップＳ２２０では、映像属性判定部５は、ユーザ設定値がフルレンジ優先設定値か否かを判定し、フルレンジ優先設定値である場合はステップＳ２２１に進み、そうでない場合はステップＳ２３０に進む。
【００４９】
ステップＳ２２１では、映像属性判定部５は、付加情報検出部２で抽出されたRGB Quantization RangeがDefaultか否かを判定し、DefaultであればステップＳ２２２に進み、そうでなければステップＳ２２３に進む。
【００５０】
ステップＳ２２３では、映像属性判定部５は、RGB Quantization RangeがFullか否かを判定し、FullであればステップＳ２２２に進み、そうでなければステップＳ２２４に進む。
【００５１】
ステップＳ２２２では、映像属性判定部５は、ＲＧＢ量子化レンジをフルレンジに設定して本処理を終了する。またステップＳ２２４では、映像属性判定部５は、ＲＧＢ量子化レンジをリミテッドレンジに設定する。そして本処理を終了する。
【００５２】
ステップＳ２３０では、映像属性判定部５は、ユーザ設定値がリミテッドレンジ強制設定値か否かを判定し、リミテッドレンジ強制設定値である場合はステップＳ２３１に進む。すなわち、この場合は、付加情報検出部２で抽出されたRGB Quantization Rangeには依存することなく、常にＲＧＢ量子化レンジをリミテッドレンジに設定する。そして本処理を終了する。一方、ユーザ設定値がリミテッドレンジ強制設定値でない場合はフルレンジ強制設定値が設定されていることとなるため、映像属性判定部５はステップＳ２３２に進み、ＲＧＢ量子化レンジをフルレンジに設定して本処理を終了する。
【００５３】
図７Ｂは、上記設定処理においてRGB Quantization Rangeとユーザ設定値とに応じて設定されるＲＧＢ量子化レンジをまとめて示している。
【００５４】
本実施例によれば、ＲＧＢ量子化レンジのユーザ設定値としてリミテッドレンジ優先設定値やフルレンジ優先設定値を有するため、識別情報として確度が低いRGB Quantization RangeがDefaultの場合におけるＲＧＢ量子化レンジの設定をユーザに委ねることができる。実際に、コンピュータのグラフィックスボードの出力は、RGB Quantization RangeをDefaultとしたまま、ＲＧＢ量子化レンジをリミテッドレンジとフルレンジとで選択できるようにしたものが多く存在する。一方、Blu-Ray（登録商標）プレーヤ等のＡＶ機器では、ＲＧＢ量子化レンジをリミテッドレンジやフルレンに設定する際は、同時にRGB Quantization RangeをLimitedやFullに直接指定するものが多い。したがって、コンピュータのグラフィックスボードの出力に合わせてリミテッドレンジ優先設定値やフルレンジ優先設定値が設定されていたとしても、そのままの設定で本実施例の映像表示装置を多くのＡＶ機器に接続することができる。
【実施例３】
【００５５】
本発明の実施例３について説明する。本実施例でも、実施例２と同様に、映像属性がＲＧＢ量子化レンジである場合について説明するが、実施例２とは識別情報RGB Quantization RangeがDefaultのときの処理が異なる。
【００５６】
本実施例では、付加情報検出部２は、付加情報AVI InfoFrameからRGB Quantization Rangeだけでなく、識別情報IT contentおよび識別情報IT Content Typeを抽出する。IT contentの値が０：No Dataである場合は、入力された映像信号はＩＴコンテンツではないことを意味する。また、IT contentの値が１：IT contentである場合は、入力された映像信号がＩＴコンテンツであることを意味するとともに、IT Content Typeの値も有効となり、ＩＴコンテンツの細かなタイプの識別が可能となる。具体的には、ＩＴコンテンツのタイプは、IT Content Typeの値が０：Graphicsである場合はグラフィックスタイプであり、IT Content Typeの値が１：Photoである場合はフォトタイプである。また、IT Content Typeの値が２：Cinemaである場合はシネマタイプであり、IT Content Typeの値が３：Gameである場合はゲームタイプである。IT contentおよびIT Content Typeは、本来は映像信号のコンテンツの種類を指定する情報であるが、実用上はほとんどのコンピュータにおいて、値１：IT contentと値０：Graphicsが指定されている。このため、IT Content Typeの値１：IT contentと値０：Graphicsが得られた場合は、映像信号がコンピュータから出力されたと判定することも可能となる。詳細については後述するが、本実施例ではこの「実用上はほとんどのコンピュータにおいて、値１：IT contentと値０：Graphicsが指定されている」という特性を利用している。
【００５７】
本実施例における映像属性判定部５は、実施例２に対して、入力された映像信号のＲＧＢ量子化レンジの設定に付加情報検出部２で抽出された識別情報IT contentおよびIT Content Typeの値も用いる点で異なる。映像属性判定部５が行うＲＧＢ量子化レンジの設定処理については後述する。
【００５８】
図９は、本実施例におけるＯＳＤメニューとしてのＲＧＢ量子化レンジ設定メニュー１００１の例を示している。ＲＧＢ量子化レンジ設定メニュー１００１は、選択アイコン１００２、オート設定値１０１１、グラフィックス−リミテッドレンジ優先設定値１０１２、グラフィックス−フルレンジ優先設定値１０１３、リミテッドレンジ強制設定値１０１４およびフルレンジ強制設定値１０１５を有する。
【００５９】
実施例２と同様に、ＲＧＢ量子化レンジ設定メニュー１００１は、ユーザがＲＧＢ量子化レンジの設定を変更したいタイミングで表示可能である。表示されたＲＧＢ量子化レンジ設定メニュー１００１では、操作部６に設けられた不図示の上下ボタンのユーザ操作に応じて選択アイコン１００２が上下に移動する。そして、同じく操作部６に設けられた不図示の設定ボタンのユーザ操作に応じて、そのときに選択アイコン１００２が位置している設定値が選択（設定）される。オート設定値１０１１、リミテッドレンジ強制設定値１０１４およびフルレンジ強制設定値１０１５が選択されたときの処理は実施例２と同様である。
【００６０】
図１０のフローチャートは、グラフィックス−リミテッドレンジ優先設定値が設定された場合に映像属性判定部５が行う処理を示している。グラフィックス−リミテッドレンジ優先設定値が設定されると、映像属性判定部５は、ステップＳ１００１において、付加情報検出部２で抽出されたRGB Quantization RangeがDefaultか否かを判定し、DefaultであればステップＳ１００２に進み、そうでなければステップＳ１００４に進む。
【００６１】
ステップＳ１００２では、映像属性判定部５は、入力された映像信号の識別情報IT contentの値が１：IT contentであり、かつ識別情報IT Content Typeの値が０：Graphicsである否かを判定し、そうであればステップＳ１００３に進み、そうでなければステップＳ１００５に進む。
【００６２】
ステップＳ１００３では、映像属性判定部５は、今回映像属性であるＲＧＢ量子化レンジをリミテッドレンジに設定する。そして本処理を終了する。
【００６３】
一方、ステップＳ１００５では、映像属性判定部５は、入力された映像信号のビデオフォーマットがＣＥフォーマットか否かを判定する。ＣＥフォーマットであればステップＳ１００３に進んでＲＧＢ量子化レンジをリミテッドレンジに設定し、そうでなければステップＳ１００６に進む。ステップＳ１００６では、映像属性判定部５は、ＲＧＢ量子化レンジをフルレンジに設定する。そして本処理を終了する。
【００６４】
またステップＳ１００４では、映像属性判定部５は、RGB Quantization RangeがLimitedか否かを判定し、LimitedであればステップＳ１００３に進んでＲＧＢ量子化レンジをリミテッドレンジに設定する。そして本処理を終了する。Limitedでなければ（Fullであれば）ステップＳ１００６に進んでＲＧＢ量子化レンジをフルレンジに設定する。そして本処理を終了する。
【００６５】
本実施例によれば、映像出力装置がコンピュータである場合においてのみユーザ指定値に応じた映像属性としてのＲＧＢ量子化レンジを設定し、映像出力装置がコンピュータではない場合はＣＴＡ−８６１規格に定義された処理を行うことができる。
【実施例４】
【００６６】
本発明の実施例４について説明する。本実施例では、入力される映像信号のＹＣｂＣｒ映像信号であり、映像処理パラメータがカラリメトリである場合について説明する。映像表示装置の構成は、実施例１（図１）と同じである。
【００６７】
本実施例において、付加情報検出部２で読み取る付加情報はAVI InfoFrameであり、抽出される識別情報はColorimetryである。ＣＴＡ−８６１規格では、Colorimetryは図１１のように定義されている。Colorimetryの値が０：No Dataである場合は、ビデオフォーマットに依存してカラリメトリを判断する必要がある。ビデオフォーマットがＳＤ（Standard Definition）フォーマットであればカラリメトリはSMPTE 170Mとなり、ビデオフォーマットがＨＤ（High Definition）またはＵＨＤ（Ultra HD）フォーマットであればカラリメトリはITU-R BT.709となる。
【００６８】
ＳＤ，ＨＤおよびＵＨＤフォーマットとはそれぞれ、垂直有効ラインが４８０または５７６ライン，７２０または１０８０ラインおよび２１６０ラインのＣＥフォーマットを意味する。Colorimetryの値が１：SMPTE 170Mである場合はカラリメトリはSMPTE 170Mとなり、値が２：ITU-R BT.709である場合はカラリメトリはITU-R BT.709となる。
【００６９】
したがって、値１：SMPTE 170Mと値２：ITU-R BT.709はいずれも直接、カラリメトリを指定していることになる。しかし、値０：No Dataは間接的にしかカラリメトリを指定していない。また、Colorimetryの値が３：Extended Colorimetry Information Validである場合は、識別情報Extended Colorimetryの値も有効となり、別のカラリメトリの指定が可能となる。
【００７０】
識別情報Extended Colorimetryは、値０〜７まで定義されており、その値が０：xvYCC601である場合はカラリメトリはxvYCC601である。その他、定義値は、１：xvYCC709、２：sYCC601、３：AdobeYcc601、４：AdobeRGBおよび５：ITU-R BT.2020Y’CC’BCC’RCを含む。また定義値が６：ITU-R BT.2020R’G’B’orY’C’BC’Rである場合は、色空間がＲＧＢであればITU-R BT.2020R’G’B’となり、色空間がＹＣｂＣｒであればITU-R BT.2020Y’CB’CR’となる。定義値が７：Additional Colorimetry Extended Information Validである場合は、さらに識別情報Additional Colorimetry Extendedで定義されたカラリメトリを指定可能となるが、ここではその説明を省略する。
【００７１】
映像属性判定部５は、実施例１とは異なり、付加情報検出部２で抽出された識別情報Colorimetryの値を判定し、その判定結果に応じてカラリメトリを設定する。Colorimetryのみからカラリメトリを判定不可能である場合には、ＯＳＤメニューとしてのカラリメトリ設定メニューを通じて選択（設定）されるユーザ設定値に対応するカラリメトリを設定する。カラリメトリ設定メニューは、ユーザ設定の選択肢として、少なくとも、オート設定値、SMPTE 170M優先設定値およびITU-R BT.709優先設定値を有する。なお、メニュー上での各ユーザ設定値の名称はＣＴＡ−８６１規格の定義を引用しているが、種々の名称を使用することができる。
【００７２】
オート設定値が設定された場合の映像属性判定部５によるカラリメトリの設定処理について説明する。オート設定値は、ＣＴＡ−８６１規格にて定義されている。映像属性判定部５は、付加情報検出部２で抽出されたColorimetryがNo Dataである場合において、入力された映像信号のビデオフォーマットがＳＤフォーマットであればカラリメトリをSMPTE 170Mに、ＨＤまたはＵＨＤフォーマットであればITU-R BT.709に設定する。一方、ColorimetryがNo Dataでない場合は、付加情報検出部２で抽出された識別情報Colorimetryが示すカラリメトリを設定する。すなわち、ColorimetryがSMPTE 170MであればカラリメトリをSMPTE 170Mに設定し、ColorimetryがITU-R BT.709であればカラリメトリをITU-R BT.709に設定する。Colorimetryが値３：Extended Colorimetry Information Validである場合も同様に、カラリメトリを識別情報Extended Colorimetryが示すカラリメトリを設定する。
【００７３】
次に、ユーザ設定値としてSMPTE 170M優先設定値およびITU-R BT.709優先設定値が設定された場合の映像属性判定部５によるカラリメトリの設定処理について説明する。付加情報検出部２で抽出されたColorimetryがNo Dataである場合において、SMPTE 170M優先設定値が設定されたときは、映像属性判定部５はカラリメトリをSMPTE 170Mに設定する。また、ITU-R BT.709優先設定値が設定された場合はカラリメトリをITU-R BT.709に設定する。一方、付加情報検出部２で抽出されたColorimetryがNo Dataでない場合には、オート設定値が設定された場合と同様の設定処理を行う。
【００７４】
以上説明したように、本実施例の映像表示装置は、ユーザ設定値としてのSMPTE 170M優先設定やITU-R BT.709優先設定値を備えているため、識別情報として確度が低いColorimetryがNo Dataの場合の動作をユーザに委ねることができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７５】
以上説明した各実施例は代表的な例にすぎず、本発明の実施に際しては、各実施例に対して種々の変形や変更が可能である。
【符号の説明】
【００７６】
１    映像受信部（受信手段）
２    付加情報検出部（受信手段）
３    映像信号処理部（処理手段）
５    映像属性判定部（設定手段）
【図１】
2020187162.tif 000003
【図２】
2020187162.tif 000004
【図３】
2020187162.tif 000005
【図４】
2020187162.tif 000006
【図５】
2020187162.tif 000007
【図６】
2020187162.tif 000008
【図７Ａ】
2020187162.tif 000009
【図７Ｂ】
2020187162.tif 000010
【図８】
2020187162.tif 000011
【図９】
2020187162.tif 000012
【図１０】
2020187162.tif 000013
【図１１】
2020187162.tif 000014